(57)【特許請求の範囲】
【請求項１】
文字、記号、数字等を固定して表示する固定表示と、文字、記号、数字等を移動させて表示する流動表示とを行うドットマトリックスの表示部（１）を備えた表示装置において、上記表示部（１）のドット（８）の表示状態と非表示状態の切換えによって上記流動表示を行う共に、固定表示の表示パターンにおいて、表示状態のドット（８）の移動方向側又は反移動方向側に連続して２個以上のドット（８、８）が非表示状態であるときには、流動表示の表示パターンでは、この表示状態のドット（８）の隣のドット（８）も表示状態とすることを特徴とする表示装置。
【発明の詳細な説明】
【０００１】
【発明の属する技術分野】
この発明は、ドットマトリックスの表示部、例えばドットマトリックス式液晶表示部を有する表示装置に関するものである。
【０００２】
【従来の技術】
ドットマトリックスの表示部は、点灯と消灯との切換えが可能な多数のドットを有し、各ドットの点灯と消灯との組み合わせでもって、文字、記号、数字等を表示することができる。そして、この文字等を表示する場合、固定して表示する固定表示と、移動して表示する流動表示とがある。
【０００３】
すなわち、図４の（ａ）に示すように、表示部５１の多数のドット５２・・から点灯されるドット５２と、消灯させるドット５２とを決定して、この明暗で例えば、文字（この場合、園という文字）のパターン５３を表示する。なお、図例では、黒塗りのドット５２が点灯している。このように、固定表示の場合には、この明暗で文字等を鮮明に表示することができる。
【０００４】
【発明が解決しようとする課題】
また、流動表示の際には、この文字のパターンを移動させたい方向に１ドットづつ移動させる。すなわち、図４（ａ）に示すように、表示部５１上に「園」の文字パターン５３が表示されている場合において、この文字パターン５３を矢印Ａ方向へ移動させるには、点灯しているドット５２の左右のドット５２、５２が消灯してれば、図４（ｂ）に示すように、その点灯しているドット５２を消灯させると共に、移動する方向側の隣のドット５２を点灯させる。また、移動する方向に沿って複数個のドット５２が点灯していれば、この点灯しているドット群の移動する方向側の隣の消灯しているドット５２を点灯させると共に、このドット群の後方（下流端）端のドット５２を消灯させる。そして、この点灯と消灯とを高速で繰り返すことによって、この文字パターン５３を上記の矢印Ａ方向へ順次移動させることができる。
【０００５】
しかしながら、表示部５１が液晶表示部から構成されている場合、この点灯と消灯とを高速で繰り返せば、表示部５１の液晶の応答速度がこの速度に追従することができないことがある。すなわち、点灯しているドット５２を消灯させると共に、移動する方向側の隣のドット５２を点灯させる場合に、新たに点灯させるドット５２が完全に点灯しないうちに、点灯していたドット５２を消灯させることになって、文字等は鮮明さに欠けることになっていた。
【０００６】
この発明は、上記従来の欠点を解決するためになされたものであって、その一の目的は、文字、記号、数字等の流動表示を鮮明に行うことができる表示装置を提供することにある。
【００１３】
【課題を解決するための手段】
請求項１の表示装置は、文字、記号、数字等を固定して表示する固定表示と、文字、記号、数字等を移動させて表示する流動表示とを行うドットマトリックスの表示部１を備えた表示装置において、上記表示部１のドット８の表示状態と非表示状態の切換えによって上記流動表示を行う共に、固定表示の表示パターンにおいて、表示状態のドット８の移動方向側又は反移動方向側に連続して２個以上のドット８、８が非表示状態であるときには、流動表示の表示パターンでは、この表示状態のドット８の隣のドット８も表示状態とすることを特徴としている。
【００１４】
上記請求項１の表示装置では、流動表示の表示パターンを損う（判別不能になる）ことなく表示状態のドット８を増加することができ、流動表示の表示パターンを鮮明にすることができる。
【００１７】
【発明の実施の形態】
この発明の表示装置の具体的な実施の形態について、図面を参照しつつ詳細に説明する。図１は表示装置の簡略ブロック図であり、この表示装置は、ドットマトリックスの表示部１（この場合、液晶表示部である）を有し、文字、記号、数字等を固定して表示する固定表示と、文字、記号、数字等を移動させて表示する流動表示とを行うことができる。
【００１８】
すなわち、この表示装置は、上記表示部１と、表示メモリ２と、文字フォントメモリ３と、データメモリ４と、ＲＡＭ５と、ＲＯＭ６と、制御部（ＣＰＵ）７等を備える。
【００１９】
表示部１は、図２に示すように、点灯と消灯の切換えが可能な多数のドット８・・を備え、点灯と消灯の組み合わせにて、文字等を表示する。図２では、黒塗りの部分が点灯していることを示している。この場合、点灯状態を表示状態と呼ぶことができ、消灯状態を非表示状態とよぶことができる。また、表示メモリ２は、この表示部１で表示するパターン（文字パターン）を記憶するものであり、文字フォントメモリ３は、例えば、ＪＩＳ第１水準、ＪＩＳ第２水準の漢字、カナ等の文字、数字、記号等を「０」「１」の情報で記憶するものであり、データメモリ４は、表示する文字等毎に割り当てられるコード情報を記憶するものであって、表示形式が固定表示か流動表示かの情報も記憶するものである。
【００２０】
また、ＲＡＭ５は上記文字フォントメモリ３から読み出したパターンを一時記憶するものであり、ＲＯＭ６は表示動作のためのプログラムを記憶している。制御部７は、表示メモリ２、文字フォントメモリ３、データメモリ４、ＲＡＭ５等を制御するものである。
【００２１】
そして、固定表示では、表示メモリ２の文字フォントを繰り返して同一パターンで表示することができるように、多数のドット８・・から、点灯させるものと、消灯させるものとを選択して表示する。また、図２（ａ）に示す固定表示状態において、矢印Ａ方向にこの文字「園」を移動させる場合、この「園」の文字は、移動方向に沿う移動方向エレメント１０ａ（点灯して表示状態となっている複数のドット８・・・からなる）と、この移動方向と直交する直交方向エレメント１１ａ（点灯して表示状態となっている複数のドット８・・・からなる）とを有するので、流動表示では、図２（ｂ）に示すように、直交方向エレメント１１ｂを、この直交方向エレメント１１ｂに対応する上記固定表示の表示パターンの直交方向エレメント１１ａよりも太くするものである。
【００２２】
また、流動表示において、直交方向エレメント１１ｂを太くする場合、固定表示において、図２（ａ）に示すように、移動方向エレメント１０ａの太さと直交方向エレメント１１ａの太さとが略同一であるときに、図２（ｂ）に示すように、直交方向エレメント１１ｂを固定表示の移動方向エレメント１０ａよりも太くするような制御を行ってよい。以下においては、移動方向エレメント１０ａの太さに関係なく、流動表示の直交方向エレメント１１ｂを固定表示の直交方向エレメント１１ａの太さよりも太くする制御について説明する。
【００２３】
ところで、直交方向エレメント１１ｂを太くするには、固定表示を示す図２（ａ）からわかるように、点灯するドット８の反移動方向側に連続して２個のドット８、８が消灯するときには、流動表示の際に、図２（ｂ）に示すように、この点灯するドット８・・の隣のドット８も点灯させる。これによって、この直交方向エレメント１１ｂを直交方向エレメント１１ａよりも太くするものである。また、移動させる場合、１ドット分ずらせていくものであるが、この場合、移動する方向に沿って複数個のドット８・・が点灯していれば、この点灯しているドット群の移動する方向側の隣の消灯しているドット８・・を点灯させると共に、このドット群の後方（下流端）端のドット８を消灯させる。また、点灯しているドット８の左右のドット８、８が消灯してれば、その点灯しているドット８を消灯させると共に、移動する方向側の隣のドット８を点灯させることになる。そして、この点灯と消灯とを高速で繰り返すことによって、この文字パターンが上記の矢印Ａ方向へ順次移動していくことになる。
【００２４】
次に、上記のように構成される表示装置の動作（文字を表示する場合）を図３を使用して説明する。まず、ＣＰＵ７からの表示の指令に従って、データメモリ４に格納されている文字コードを読み出す（ステップＳ１）。次に、ステップＳ２へ移行して、ステップＳ１で読み出した文字コードの対応する文字フォントを文字フォントメモリ３から読み出し、ＲＡＭ５上に展開する。その後、ステップＳ３へ移行して、流動表示か否かを判断する。このステップＳ３で、ＮＯの場合には固定表示であるので、ステップＳ４へ移行し、このステップＳ３で、ＹＥＳの場合には流動表示であるで、ステップＳ５へ移行する。
【００２５】
ステップＳ４では、上記ＲＡＭ上に展開した文字フォントをそのまま加工せずに、表示メモリ２に書き込む。そして、ステップＳ６へ移行して、上記表示メモリ２に書き込まれた文字フォント（表示パターン）を表示部１に固定表示として表示する。その後は、ステップＳ７で、この固定表示を終了するか否かの判断を行って、終了と判断するまで、この固定表示を継続する。
【００２６】
また、ステップＳ５では、表示用メモリ２に移動方向に１ドット分ずれたパターンを順次記憶保持し、これらを順に表示部２で表示する（ステップＳ８）。具体的には、上記したように、移動する方向に沿って複数個のドット８・・が点灯していれば、この点灯しているドット群の移動する方向側の隣の消灯しているドット８・・を点灯させると共に、このドット群の後方（下流端）端のドット８を消灯させる。また、点灯しているドット８の左右のドット８、８が消灯してれば、その点灯しているドット８を消灯させると共に、移動する方向側の隣のドット８を点灯させる。その後は、ステップＳ９で、この流動表示を終了するか否かの判断を行って、終了と判断するまで、この流動表示を継続する。
【００２７】
このように、上記の表示装置においては、流動表示では、不鮮明となりやすい細い直交方向エレメント１１ａを太い直交方向エレメント１１ｂとするものであるので、この直交方向の線図を鮮明にすることができて流動表示が安定する。すなわち、移動させる際には、点灯していた２個のドット８、８の移動側の隣の消灯しているドット８を点灯させると共に、この点灯していた２個のドット８、８のうち反移動側のドット８を消灯させるものであり、点灯していた２個のドット８、８のうち移動方向側のドット８が消灯されない。これによって、流動表示において、移動方向に対して直交する方向の線図を有する場合、その直交方向の線図は、少なくとも１列が点灯して形成されており、この直交方向の線図が不鮮明にならない。これに対して、直交方向の１列のドット８・・が点灯する場合に、その１列を順次１ドット分ずらせていけば、隣のドット８が点灯しないうちにその点灯していたドット８が消灯して、この直交方向の線図が不鮮明となるおそれがある。
【００２８】
ところで、流動表示における移動方向エレメント１０ｂは固定表示における移動方向エレメント１０ａに対して太くする必要はない。これは、移動方向エレメント１０ｂは移動方向に沿って延びているので、移動（流動）の際に、不鮮明にならないからである。また、上記実施の形態と明暗逆パターンでもって文字等が表示されるものであってもよい。すなわち、ドット８の消灯状態を表示状態とし、ドット８の点灯状態を非表示状態とすることができる。具体的には、図２において、黒塗りの部分を、消灯しているドット８・・にて構成し、他の部位を点灯しているドット８・・にて構成すればよい。
【００３０】
以上にこの発明の具体的な実施の形態について説明したが、この発明は上記形態に限定されるものではなく、この発明の範囲内で種々変更して実施することができる。例えば、表示部１に表示されるものとしては、文字に限るものではなく、各種の記号や数字はもちろん各種の模様等であってもよく、文字としても「園」に限るものではない。また、流動表示の移動方向としては、矢印Ａと反対方向の横方向であっても、上下（縦）方向であってもよい。さらに、太くする場合、通常点灯するドット８が１列である場合に、隣合う２列のドット８、８を点灯させていたが、表示パターンが損壊しなければ、３列以上のドット８・・を点灯させてもよい。また、上記実施の形態では、移動方向とは反対方向のドット８を点灯させることによって、太くしているが、逆に、移動方向側のドット８を点灯させることによって、太くしてよい。
【００３１】
さらに、表示部１としては、流動表示のみが可能なものであっても、固定表示と流動表示とが可能なものであってもよい。固定表示と流動表示とが可能な場合、固定表示から流動表示に切換るものや、所定位置においては固定表示のみを行い、他の位置においては、流動表示のみ又は固定表示と流動表示とを行うもの等であってもよい。また、上記実施の形態では、表示部１を液晶表示部にて構成していたが、ＬＥＤ等のドットマトリックスから表示部１を構成するようにしてもよい。ところで、直交方向エレメント１１の直交とは、移動方向エレメント１０に対して正確に９０°を成すものに限らない。すなわち、ここでの直交とは、移動方向エレメント１０に対してほぼ９０°を成せばよく、例えば、「人」という文字の斜め方向の一辺等も直交方向エレメント１１に含むものとする。なお、この表示装置としては、交通機関等の案内表示や各種企業の宣伝広告表示等の種々の表示に用いることができる。
【００３５】
【発明の効果】
請求項１の表示装置によれば、高速で流動表示した場合において、従来では不鮮明となる表示パターンを、確実に鮮明にすることができ、流動表示がより安定する。これにより、利用者は正確に各種の情報を入手することができる。
【図面の簡単な説明】
【図１】この発明の表示装置の実施形態を示す簡略ブロック図である。
【図２】上記表示装置の表示部を示し、（ａ）は固定表示のパターンの正面図であり、（ｂ）は流動表示のパターンの正面図である。
【図３】上記表示装置の動作を示すフローチャート図である。
【図４】従来の表示装置の表示部を示し、（ａ）は固定表示のパターンの正面図であり、（ｂ）は流動表示のパターンの正面図である
【符号の説明】
１  表示部
８  ドット
１０ａ  移動方向エレメント
１１ａ  直交方向エレメント
１１ｂ  直交方向エレメント
【図１】
0003880844.tif 000002
【図３】
0003880844.tif 000003
【図４】
0003880844.tif 000004
【図２】
0003880844.tif 000005